(57)【要約】【課題】所望の長さを容易に設定可能で係止部において強固な係止構造を備える伸縮装置を提供する。【解決手段】中空筒状で一の端部が開口する脚部２と、脚部２の開口する一の端部に先端部が内挿又は外挿され脚部２の内部又は外部をスライド可能で中空筒状に形成される伸縮脚部３と、中空筒状で一の端部が脚部２の他の端部側の内部に設けられる内筒部６と、内筒部６の他の端部と直列に配置され伸縮脚部３に収容される伸縮部材５と、内筒部６及び伸縮部材５の外周部に配置される長さ調整部材４と、内筒部６に少なくとも１個設けられ内筒部６の内周部から出入して長さ調整部材４に刺衝する係止部８と、内筒部６に設けられ係止部８を内筒部６の内周部から出入可能に支持しその端部は脚部２の他の端部まで延設されて係止部８の出入操作を脚部２の他の端部の位置で可能にする支持部１１とを有するものである。【選択図】図１
2010223382.tif 000002
【特許請求の範囲】
【請求項１】
中空筒状に形成され一の端部が開口する脚部と、この脚部の開口する一の端部に先端部が内挿又は外挿され，前記脚部の内部又は外部をスライド可能で中空筒状に形成される伸縮脚部と、中空筒状に形成され，前記脚部の他の端部側の内部に設けられる内筒部と、この内筒部の端部と直列に配置され，前記伸縮脚部に収容される螺旋状に形成された伸縮部材と、前記伸縮脚部内に両端を固定され，前記内筒部及び前記伸縮部材の外周部に配置される螺旋状に形成された長さ調整部材と、前記内筒部に少なくとも１個設けられ，前記内筒部の内周部から出入して前記長さ調整部材に刺衝する係止部と、前記内筒部に設けられ，前記係止部を前記内筒部の内周部から出入可能に支持し，その端部は前記脚部の他の端部まで延設されて前記係止部の出入操作を前記脚部の他の端部の位置で可能にする支持部と、を有することを特徴とする伸縮装置。
【請求項２】
中空筒状に形成され一の端部が開口する第１の脚部と、この第１の脚部に内設され中空筒状に形成され一の端部が開口する第２の脚部と、前記第１の脚部と前記第２の脚部の間に開口して形成される空間に先端部が内挿され，前記空間をスライド可能で中空筒状に形成される伸縮脚部と、中空筒状に形成され，前記第２の脚部の他の端部側の内部に設けられる内筒部と、前記第２の脚部の外側かつ前記第１の脚部及び前記伸縮脚部の内側であって，一の端部が前記第１の脚部の内部に，他の端部が前記伸縮脚部の内部に配置され，螺旋状に形成された伸縮部材と、前記伸縮脚部内に両端を固定され，前記内筒部と前記第２の脚部の間に形成される空間に配置される螺旋状に形成された長さ調整部材と、前記内筒部に少なくとも１個設けられ，前記内筒部の内周部から出入し前記長さ調整部材に刺衝する係止部と、前記内筒部に設けられ，前記係止部を前記内筒部の内周部から出入可能に支持し，その端部は前記第２の脚部の他の端部まで延設されて前記係止部の出入操作を前記脚部の他の端部の位置で可能にする支持部と、を有することを特徴とする伸縮装置。
【請求項３】
前記内筒部内部に挿脱可能に設けられ、この挿脱操作によって前記係止部の抜脱の防止と解除が可能なロック部材を備えることを特徴とする請求項１又は請求項２に記載の伸縮装置。
【請求項４】
前記係止部は、前記螺旋状に形成された長さ調整部材の複数の螺旋の間隙を少なくとも２箇所において同時に刺衝する刺衝部材を備えることを特徴とする請求項１又は請求項２に記載の伸縮装置。
【請求項５】
前記長さ調整部材は引きばね又は押しばねであり、前記伸縮部材は押しばねであることを特徴とする請求項１乃至請求項４のいずれか１項に記載の伸縮装置。
【請求項６】
中空筒状に構成され，その一部に窓部と，長手方向に沿って形成される溝部とを備える脚部と、この脚部の内部に配置され一部が前記溝部から突出して前記溝部と滑合し前記脚部の内部をスライド可能な作用部と、この作用部に一の端部が直列に固設され，螺旋状に形成された長さ調整部材と、この螺旋状に形成された長さ調整部材内部に挿通され，その両端部を前記長さ調整部材の他の端部と，前記作用部とに固設された固定部と、前記脚部に設けられる前記窓部において前記螺旋状に形成された長さ調整部材の複数の螺旋の間隙を少なくとも１箇所において刺衝する係止部と、この係止部を前記窓部の外部から出入可能に支持する支持部と、を有することを特徴とする伸縮装置。
【請求項７】
前記中空筒状に構成された脚部の内部において、前記作用部に対して前記長さ調整部材が固設されていない側に直列に，又は前記長さ調整部材内部に並列に伸縮部材を配置することを特徴とする請求項６に記載の伸縮装置。
【請求項８】
前記長さ調整部材は引きばね又は押しばねであり、前記伸縮部材は押しばね又は引きばねであることを特徴とする請求項７に記載の伸縮装置。
【発明の詳細な説明】
【技術分野】
【０００１】
本発明は、無段階の長さ調節と長さ保持を容易に行うことができる伸縮装置に関する。
【背景技術】
【０００２】
一般に、家具やカメラの三脚や脚立等においては、これらの脚の長さを自在に変更する目的で脚に伸縮装置が設置されていることがある。このような伸縮装置は、主体となる脚に対して内挿又は外挿される往復自在な伸縮脚が装着され、この伸縮脚を適当な位置に移動してピン等で固定することにより脚全体を所望の長さに調節することができるようになっている。さらには、主体となる脚にばね等の伸縮部材を設置して伸縮脚に当接させ、伸縮部材の弾性を利用して伸縮脚の移動を容易に行うことも考えられている。
【０００３】
例えば、特許文献１には、「伸縮装置」という名称で、カメラの三脚や脚立等の脚部の長さを容易に変更し、この脚部を強固に保持できる伸縮装置に関する発明が開示されている。
この特許文献１に開示された発明は、中空筒の一部に窓部を備えて端部が開口する第１の脚部と、この第１の脚部の開口部に先端部が挿入されてスライド可能な第２の脚部と、この第２の脚部の先端部に接続される長さ調節部材と、この長さ調節部材にスライド部材を介して接続される伸縮部材と、第１の脚部に設置される窓部において長さ調節部材を係止する係止部とから構成されている。
この伸縮装置では、第１の脚部の内部において第２の脚部を挿脱することによって長さを設定することができるが、第２の脚部を第１の脚部に押入すると、第１の脚部の内部では、長さ調整部材は伸縮部材が配置される方向に向かって移動し、伸縮部材は押縮される。そして、第２の脚部を押入して伸縮装置が所望の長さとなった際に係止部において係止部材を窓部からスライド挿入すると、係止部材は螺旋状に形成された引きばねによって構成される長さ調整部材の螺旋の間隙を刺衝してその移動を止めて第２の脚部の位置を固定する。
反対に、伸縮装置を伸ばす場合には、係止部材を抜脱して長さ調整部材の刺衝を解除すると、押縮されていた伸縮部材の付勢力によって長さ調整部材と第２の脚部が押されて自動的に伸縮装置を伸長することができる。
また、長さ調節部材には螺旋状に形成された引きばねを用いているので、係止部材が刺衝できる間隙を多数構成することが可能であり、すなわち、係止部によって長さ調節部材を短い係止間隔で精度高く係止することができる。その結果、伸縮装置の全長を所望の長さに調節することを可能としている。
【０００４】
また、特許文献２には、「伸縮装置」という名称で、対を成す伸縮脚を備えて構成され長さ調節が容易な伸縮装置に関する発明が開示されている。
この特許文献２に開示された発明は、中空筒の一部に窓部を備える脚部と、この脚部の一の端部を内挿しスライド可能な第１の伸縮脚部と、脚部の他の端部を内挿しスライド可能な第２の伸縮脚部と、脚部の一の端部と第１の伸縮脚部に介設される第１の伸縮部材と、脚部の他の端部と第２の伸縮脚部に介設される第２の伸縮部材と、脚部の一の端部に内設され脚部の内部をスライド可能な第１のスライド部材に一の端部が固設される第１の長さ調整部材と、脚部の他の端部に内設され脚部の内部をスライド可能な第２のスライド部材に一の端部が固設される第２の長さ調整部材と、脚部に設けられる窓部において第１の長さ調整部材及び第２の長さ調整部材を係止する係止部とを有し、この係止部は、窓部からスライド挿入させて第１の長さ調整部材及び第２の長さ調整部材を刺衝して第１の長さ調整部材及び第２の長さ調整部材の移動を抑止する係止部材と、この係止部材を脚部に設けられる窓部に固定する固定部材とを備えるものである。
この伸縮装置では、脚部の一の端部において、第１の伸縮脚部をスライドすると、第１の伸縮脚部の内部に脚部の一の端部が挿入されて収縮する。このとき、脚部の一の端部及び第１の伸縮脚部の内部では、脚部に一の端部と第１の伸縮脚部に介設される第１の伸縮部材が押縮されるとともに、第１のスライド部材とこの第１のスライド部材に固設される第１の長さ調整部材が脚部の内部を移動する。
そして、係止部において、係止部材を脚部の窓部から挿入して第１の長さ調整部材を刺衝すると、第１の長さ調整部材、第１のスライド部材、第１の伸縮部材及び第１の伸縮脚部が固定されて脚部の一の端部の長さを決定することができる。  一方、脚部の他の端部においてもほぼ同様の機構であり、すなわち、脚部の他の端部において、第２の伸縮脚部をスライドすると、第２の伸縮脚部の内部に脚部の他の端部が挿入されて収縮し、脚部の他の端部及び第２の伸縮脚部の内部では、脚部の他の端部と第２の伸縮脚部に介設される第２の伸縮部材が押縮されるとともに、第２のスライド部材とこの第２のスライド部材に固設される第２の長さ調整部材が脚部の内部を移動する。そして、係止部において、係止部材を脚部の窓部から挿入して第２の長さ調整部材を刺衝すると、第２の長さ調整部材、第２のスライド部材、第２の伸縮部材及び第２の伸縮脚部が固定されて脚部の他の端部の長さを決定することができる。なお、係止部では、係止部材は、第１の長さ調整部材及び第２の長さ調整部材の両方を同時に刺衝することができる。また、第１の長さ調整部材及び第２の長さ調整部材に、螺旋状に形成された引きばねを用いると、螺旋の間隙が狭くまた略無段階に存在するので、係止部材の刺衝の間隔が狭く、脚部の両端部における第１の伸縮脚部及び第２の伸縮脚部の長さを自在に調整することができる。
また、係止部において、係止部材を第１の長さ調整部材及び第２の長さ調整部材から抜脱すると、押縮していた第１の伸縮部材及び第２の伸縮部材の付勢力により、第１の伸縮脚部及び第２の伸縮脚部の伸長は自動的に行うことができる。
したがって、脚部の両端部の長さを容易に且つ自在に調節することができる伸縮装置が提供できる。
【０００５】
そして、特許文献３には、「伸縮装置」という名称で、所望の長さを容易に調節でき、また、小型化が可能な伸縮装置に関する発明が開示されている。
この特許文献３に開示された発明は、中空筒の一部に窓部を備えて一の端部が開口する脚部と、この脚部の開口する一の端部に先端部が内挿され脚部の内部をスライド可能な伸縮脚部と、脚部の内部において伸縮脚部の先端部から伸縮脚部と直列に収容される螺旋状に形成された長さ調整部材と、脚部の内部において伸縮脚部の先端部から設けられ長さ調整部材の内側又は外側に配置される伸縮部材と、脚部に設けられる窓部において少なくとも長さ調整部材を係止する係止部とを有するものである。
この伸縮装置では、伸縮脚部を脚部の内部にスライドすると、伸縮脚部に直列に配置された長さ調整部材も伸縮脚部と連動してスライドし、また、伸縮脚部の先端部から脚部の閉口部側に内設される伸縮部材は押縮する。そして、所望の長さになるまで伸縮脚部をスライドさせた時点で、脚部に設けられる窓部から係止部材を挿入すると、係止部材は窓部に位置する長さ調整部材の間隙を刺衝し、長さ調整部材、伸縮脚部及び伸縮部材の移動を抑止して、伸縮装置の全長を決定することができる。逆に、係止部材を長さ調整部材の間隙から抜脱して係止を解除すると、押縮していた伸縮部材の付勢力により、伸縮脚部は自動的に伸長することができる。長さ調整部材には螺旋状に形成された引きばねを用いると、係止部材の刺衝可能な間隙が無段階に多数存在するので、長さ調整を自在に行うことができる。そして、長さ調整部材の内側又は外側に伸縮部材を配置しているので、装置全体の小型化を可能にしている。さらに、脚部の両端部に、第１の長さ調整部材及び第２の長さ調整部材を備える第１の伸縮脚部及び第２の伸縮脚部をそれぞれ設置することができ、装置の伸長幅を増大させることも可能である。
【先行技術文献】
【特許文献】
【０００６】
【特許文献１】特許第３６３０６７７号公報
【特許文献２】特開２００６−２０７７９８号公報
【特許文献３】特開２００８−２５８３４号公報
【発明の概要】
【発明が解決しようとする課題】
【０００７】
しかしながら、特許文献１乃至特許文献３に記載された従来の技術では、いずれも係止部は脚部の外周部に設置されているので、外周部上に外側へとび出た突部を備える形状になってしまい、使用者の体に触れたり当たったりするなど使用に際して支障をきたす可能性があるという課題があった。また、高齢者や身障者用の杖として利用する場合には、突出することで杖のバランスを欠いたり、意匠的な美観も損なう可能性が高いという課題があった。
また、係止部の係止部材は外周部側から内部へ向けて挿入され刺衝されるので、長さ調整部材や伸縮部材を収容する脚部に窓部を必要とし、脚部を貫通して長さ調整部材を刺衝するので、脚部の内部を伸縮する伸縮脚部と係止部材の干渉を考えると、脚部と伸縮脚部全体としての長さを短尺化することができなかった。
さらに、いずれも係止部の係止部材は長さ調整部材の周方向において１箇所の間隙を刺衝して係止する構成であり、刺衝した後の長さ調整部材に周方向のゆがみが生じる可能性があり、長さ調整部材の１箇所に大きな荷重がかかると同時に疲労してしまう可能性があるという課題もあった。
さらに、１箇所で保持するため、長さ調整部材の中に係止部材を深く差し込む必要があり、長さ調整部材には径方向に深いストロークが要求されるという課題があった。
【０００８】
本発明はかかる従来の事情に対処してなされたものであり、所望の長さを無段階に容易に設定、保持可能で、しかも脚部の長さを伸縮脚部の影響を考慮することなく所望の長さに設けることが可能な伸縮装置であり、さらには、係止部において強固な係止構造を備える伸縮装置を提供することを目的とする。
【課題を解決するための手段】
【０００９】
上記目的を達成するため、請求項１記載の発明である伸縮装置は、中空筒状に形成され一の端部が開口する脚部と、この脚部の開口する一の端部に先端部が内挿又は外挿され，前記脚部の内部又は外部をスライド可能で中空筒状に形成される伸縮脚部と、中空筒状に形成され，前記脚部の他の端部側の内部に設けられる内筒部と、この内筒部の端部と直列に配置され，前記伸縮脚部に収容される螺旋状に形成された伸縮部材と、前記伸縮脚部内に両端を固定され，前記内筒部及び前記伸縮部材の外周部に配置される螺旋状に形成された長さ調整部材と、前記内筒部に少なくとも１個設けられ，前記内筒部の内周部から出入して前記長さ調整部材に刺衝する係止部と、前記内筒部に設けられ，前記係止部を前記内筒部の内周部から出入可能に支持し，その端部は前記脚部の他の端部まで延設されて前記係止部の出入操作を前記脚部の他の端部の位置で可能にする支持部と、を有するものである。
上記構成の伸縮装置では、伸縮脚部を脚部側に向けて押すと、伸縮脚部はその先端部から脚部の内部又は外部をスライド移動しながら脚部の内部に収容され又は脚部の外部を収容し、伸縮脚部に収容される伸縮部材は内筒部の端部と伸縮脚部の間で押縮されて付勢するように作用する。また、長さ調整部材は、内筒部及び伸縮部材の外周部に配置されて、螺旋の長さに比例して多数存在する螺旋部分の間隙を短い係止間隔で略無段階に係止部によって係止可能とするという作用を有する。そして、内筒部に設けられる係止部では、長さ調整部材を刺衝して長さ調整部材の移動を抑止して、伸縮脚部の位置を固定するという作用を有する。また、支持部は、脚部の他の端部において係止部の出入を操作するように作用する。さらに、係止状態を解除すると、伸縮脚部は、伸縮部材の付勢力により脚部から自動的に抜出するという作用を有する。
【００１０】
また、請求項２に記載の発明である伸縮装置は、中空筒状に形成され一の端部が開口する第１の脚部と、この第１の脚部に内設され中空筒状に形成され一の端部が開口する第２の脚部と、前記第１の脚部と前記第２の脚部の間に開口して形成される空間に先端部が内挿され，前記空間をスライド可能で中空筒状に形成される伸縮脚部と、中空筒状に形成され，前記第２の脚部の他の端部側の内部に設けられる内筒部と、前記第２の脚部の外側かつ前記第１の脚部及び前記伸縮脚部の内側であって，一の端部が前記第１の脚部の内部に，他の端部が前記伸縮脚部の内部に配置され，螺旋状に形成された伸縮部材と、前記伸縮脚部内に両端を固定され，前記内筒部と前記第２の脚部の間に形成される空間に配置される螺旋状に形成された長さ調整部材と、前記内筒部に少なくとも１個設けられ，前記内筒部の内周部から出入し前記長さ調整部材に刺衝する係止部と、前記内筒部に設けられ，前記係止部を前記内筒部の内周部から出入可能に支持し，その端部は前記第２の脚部の他の端部まで延設されて前記係止部の出入操作を前記脚部の他の端部の位置で可能にする支持部と、を有するものである。
上記構成の伸縮装置では、伸縮脚部を第１の脚部及び第２の脚部側に向けて押すと、伸縮脚部は先端部から第１の脚部と第２の脚部の間に開口して形成される空間をスライド移動しながら第１の脚部と第２の脚部の間の内部に収容されるように作用する。また、第２の脚部の外側かつ第１の脚部及び伸縮脚部の内側に収容される伸縮部材は第１及び第２の脚部と伸縮脚部の間で押縮され、その復元力で付勢するように作用する。長さ調整部材は内筒部と第２の脚部の間に形成される空間に配置されて、螺旋の長さに比例して多数存在する螺旋部分の間隙を短い係止間隔で略無段階に係止部によって係止可能とするという作用を有する。そして、内筒部に設けられる係止部では、長さ調整部材を刺衝して長さ調整部材の移動を抑止して、伸縮脚部の位置を固定するという作用を有する。また、支持部は、脚部の他の端部において係止部の出入を操作するように作用する。さらに、係止状態を解除すると、伸縮脚部は、伸縮部材の付勢力により第１及び第２の脚部から自動的に抜出するという作用を有する。
【００１１】
そして、請求項３に記載の発明である伸縮装置は、請求項１又は請求項２に記載の伸縮装置において、前記内筒部内部に挿脱可能に設けられ、この挿脱操作によって前記係止部の抜脱の防止と解除が可能なロック部材を備えるものである。
上記構成の伸縮装置では、請求項１又は請求項２に記載の発明の作用に加えて、ロック部材は、挿脱操作によって係止部の抜脱の防止と解除を実行するという作用を有する。
【００１２】
請求項４に記載の発明である伸縮装置は、請求項１又は請求項２に記載の伸縮装置において、前記係止部は、前記螺旋状に形成された長さ調整部材の複数の螺旋の間隙を少なくとも２箇所において同時に刺衝する刺衝部材を備えるものである。
上記構成の伸縮装置では、請求項１又は請求項２に記載の発明の作用に加えて、係止部の刺衝部材は、螺旋状に形成された長さ調整部材の複数の螺旋の間隙を少なくとも２箇所において同時に強固に刺衝するという作用を有する。１箇所よりもかかる荷重を減らすように作用し、刺衝部材と長さ調整部材両方の疲労を軽減するように作用する。
【００１３】
請求項５に記載の発明である伸縮装置は、請求項１乃至請求項４のいずれか１項に記載の伸縮装置において、長さ調整部材は引きばね又は押しばねであり、伸縮部材は押しばねであるものである。
上記構成の伸縮装置では、請求項１乃至請求項４のいずれか１項に記載の発明の作用に加えて、長さ調整部材の引きばねは、螺旋状のばねで通常時に螺旋の間隙が小さく連続して存在し、伸縮部材の押しばねは通常時に間隙を備えた螺旋状のばねであり、螺旋の間隙の間隔を狭めて縮んだ際に反力を発揮するように作用する。なお、長さ調整部材の押しばねは、伸縮部材における押しばねよりも螺旋の間隔が狭め目に構成されるものである。本請求項において長さ調整部材に引きばねのみならず押しばねを含めたのは、この螺旋状の隙間に係止部が刺衝可能であれば押しばねと引きばねというようなばねの特性は問題ではなく、その両方を概念することができるという意味である。
【００１４】
請求項６に記載の発明である伸縮装置は、中空筒状に構成され，その一部に窓部と，長手方向に沿って形成される溝部とを備える脚部と、この脚部の内部に配置され一部が前記溝部から突出して前記溝部と滑合し前記脚部の内部をスライド可能な作用部と、この作用部に一の端部が直列に固設され，螺旋状に形成された長さ調整部材と、この螺旋状に形成された長さ調整部材内部に挿通され，その両端部を前記長さ調整部材の他の端部と，前記作用部とに固設された固定部と、前記脚部に設けられる前記窓部において前記螺旋状に形成された長さ調整部材の複数の螺旋の間隙を少なくとも１箇所において刺衝する係止部と、この係止部を前記窓部の外部から出入可能に支持する支持部と、を有するものである。
上記構成の伸縮装置では、作用部が脚部の溝部に滑合してスライドすると、作用部に固設された長さ調整部材と、作用部と長さ調整部材に両端部が固設された固定部は作用部に連動して移動するという作用を有する。また、係止部は、脚部の窓部に配置される長さ調整部材の複数の螺旋の間隙を少なくとも１箇所において刺衝し、長さ調整部材の移動を抑止するという作用を有する。
【００１５】
請求項７に記載の発明である伸縮装置は、請求項６に記載の伸縮装置において、中空筒状に構成された脚部の内部において、作用部に対して長さ調整部材が固設されていない側に直列に，又は長さ調整部材内部に並列に伸縮部材を配置するものである。
上記構成の伸縮装置では、請求項６に記載の発明の作用に加えて、伸縮部材は、長さ調整部材内部に並列に配置されると、長さ調整部材の移動によって伸長するように作用し、一方、作用部に対して長さ調整部材が固設されていない側に直列に配置されると、長さ調整部材の移動によって逆に押縮されるように作用する。
【００１６】
請求項８に記載の発明である伸縮装置は、請求項７に記載の伸縮装置において、長さ調整部材は引きばね又は押しばねであり、伸縮部材は押しばね又は引きばねであるものである。
上記構成の伸縮装置では、請求項７に記載の発明の作用に加えて、長さ調整部材となる引きばねは、螺旋状のばねで通常時に螺旋の間隙が小さく無数に存在するものである。また、伸縮部材となる押しばねは、通常時に間隙を備えた螺旋状のばねであり、螺旋の間隙の間隔を狭めて縮んだ際に反力を発揮するものである。そして、伸縮部材となる引きばねは、螺旋状のばねで通常時に螺旋の間隙が小さく、伸長すると間隙の間隔を拡張して伸びた際に反力を発揮するものである。
なお、長さ調整部材の押しばねは、伸縮部材における押しばねよりも螺旋の間隔が狭め目に構成されるものである。本請求項において長さ調整部材に引きばねのみならず押しばねを含めたのは、請求項５と同様に、この螺旋状の隙間に係止部が刺衝可能であれば押しばねと引きばねというようなばねの特性は問題ではなく、その両方を概念することができるという意味である。
【発明の効果】
【００１７】
本発明の請求項１記載の伸縮装置では、脚部の他の端部まで延設される支持部において係止部の出入を操作して、伸縮装置の全長を所望の長さに調節することができる。また、伸縮脚部の長さは、長さ調整部材の無段階に設定される螺旋部分の間隙毎に設定することができるので微調整を可能にしている。そして、係止部は内筒部の内周部に設置されているので、脚部の周部は突部を形成することなく、略筒状に形成することができる。したがって、伸縮装置の使用者に触れたり当たったりすることなく安全に利用でき、伸縮装置の脚部の周方向での重心位置が脚部の中心に近くバランスがよく、美観にも優れている。さらには、係止部が脚部の内側から長さ調整部材に刺衝されるので、長さ調整部材の外側に位置する伸縮脚部との干渉がなく、伸縮脚部の位置や長さなどに捉われることなく脚部と伸縮脚部全体としての長さを短尺化することが可能となる。
【００１８】
また、本発明の請求項２に記載の伸縮装置では、伸縮部材を第１及び第２の脚部と伸縮脚部に当接するように配置し、且つ、内筒部を伸縮部材の内側になるように配置しているので、伸縮装置の伸長幅を増大させることが可能である。また、第１の脚部と第２の脚部を設けて、これらの間に伸縮部材が配置されているので、外部から伸縮部材が見えることがなく、外観の美観が優れたものとなる。また、請求項１に記載の伸縮装置と同様に伸縮装置の外周部に突起部がないため、そのような突起部が使用者に触れたり当たったりすることなく安全に利用でき、伸縮装置の脚部の周方向での重心位置が脚部の中心に近くバランスがよい。また、係止部が第２の脚部の内側で長さ調整部材に刺衝されるので、長さ調整部材の外側に位置する第２の脚部との干渉がなく、伸縮脚部の位置や長さなどに捉われることなく第１及び第２の脚部と伸縮脚部全体としての長さを短尺化することが可能となる。
【００１９】
そして、本発明の請求項３に記載の伸縮装置では、ロック部材は係止部の抜脱の防止と解除を可能であり、係止状態を強固かつ確実にし、また、逆に、係止状態の解除も容易に行うことができる。
【００２０】
本発明の請求項４に記載の伸縮装置では、係止部に設置される刺衝部材によって、長さ調整部材の複数の螺旋の間隙を少なくとも２箇所において同時に刺衝できるので、より強固な係止状態の保持を可能としている。刺衝のバランスが改善されることで、長さ調整部材のゆがみも生じることなく、安定して位置を保持することができ、また、荷重が分散されることで疲労も少なくすることができるという効果も発揮することができる。
【００２１】
本発明の請求項５に記載の伸縮装置では、長さ調整部材に引きばねを用いるので、通常時に螺旋部分の間隙が小さく無数に存在するので、係止部は略無段階に螺旋の間隙を係止して、伸縮装置の長さの微調整が容易に行うことができる。また、伸縮部材に押しばねを用いるので、通常時に間隙を備えた螺旋状のばねは、螺旋の間隙の間隔を狭めて縮んだ際に反力を発揮できるので、伸縮装置の伸長する力にこの反力を利用すると伸縮装置の伸縮を容易に行うことができる。
【００２２】
また、本発明の請求項６に記載の伸縮装置では、脚部の形状に沿って形成される溝部を滑合する作用部に固設される長さ調整部材を係止して脚部の長さを決定するので、脚部が直線形状以外の形状であっても対応することができる。
【００２３】
そして、本発明の請求項７に記載の伸縮装置では、伸縮部材の伸縮による付勢力を利用して作用部の移動を容易に行うことができる。
【００２４】
最後に、本発明の請求項８に記載の伸縮装置では、通常時に螺旋部分の間隙が小さく無数に存在する引きばね又は押しばねを長さ調整部材に用いているので、係止部は略無段階に螺旋の間隙を係止して、伸縮装置の長さを自在に決定し、また、その微調整を可能にしている。また、伸縮部材に押しばね又は引きばねを用いているので、押しばねの場合は、通常時に間隙を備え、螺旋の間隙の間隔を狭めて縮んだ際に反力を発揮し、一方、引きばねの場合は、伸長時に螺旋の間隙の間隔を拡張した際に反力を発揮し、これらの反力を伸縮装置の伸長する力に利用して伸縮装置の伸長を容易に行うことができる。
【図面の簡単な説明】
【００２５】
【図１】本発明の第１の実施の形態に係る伸縮装置の内部構造の一部を示す概念図である。
【図２】第１の実施の形態に係る伸縮装置の縦断面図である。
【図３】（ａ）は第１の実施の形態に係る伸縮装置の連結部材の外形図であり、（ｂ）は図３（ａ）中にＡ−Ａ線で示された部分の矢視断面図であり、（ｃ）は同じく図３（ａ）中にＡ１−Ａ１線で示された部分の矢視断面図である。
【図４】（ａ）は、第１の実施の形態に係る伸縮装置のロック部材の外形図であり、（ｂ）は図４（ａ）中にＢ−Ｂ線で示された部分の矢視断面図であり、（ｃ）は同じく図４（ａ）中にＢ１−Ｂ１線で示された部分の矢視断面図である。
【図５】（ａ）は第１の実施の形態に係る伸縮装置のストッパ支持部材の外形図であり、（ｂ）は図５（ａ）中にＣ−Ｃ線で示された部分の矢視断面図であり、（ｃ）は同じく図５（ａ）中にＣ１−Ｃ１線で示された部分の矢視断面図である。
【図６】（ａ）は第１の実施の形態に係る伸縮装置の第１のストッパ連結部材の縦断面図であり、（ｂ）は同じく第１のストッパ連結部材の上面図である。
【図７】（ａ）は第１の実施の形態に係る伸縮装置の第２のストッパ連結部材の縦断面図であり、（ｂ）は同じく第２のストッパ連結部材の上面図である。
【図８】第１の実施の形態に係る伸縮装置のストッパの外形図である。
【図９】（ａ）は第１の実施の形態に係る伸縮装置の第１の内筒部の縦断面図であり、（ｂ）は図９（ａ）中にＤ−Ｄ線で示された部分の矢視断面図である。
【図１０】（ａ）は第１の実施の形態に係る伸縮装置の回動衝止部材の外形図であり、（ｂ）は図１０（ａ）中にＥ−Ｅ線で示された部分の矢視断面図である。
【図１１】（ａ）乃至（ｄ）は第１の実施の形態に係る伸縮装置のストッパ周辺の各部品を組み立てた場合の概念図である。
【図１２】第１の実施の形態に係る伸縮装置の外形図である。
【図１３】本発明の第２の実施の形態に係る伸縮装置の内部構造を示す概念図である。
【図１４】（ａ）は第２の実施の形態に係る伸縮装置の外形図であり、（ｂ）は同じく伸縮装置の上面図である。
【図１５】本発明の第３の実施の形態に係る伸縮装置の内部構造を示す概念図である。
【図１６】第３の実施の形態に係る伸縮装置の内部構造を示す概念図である。
【図１７】（ａ）は第３の実施の形態に係る伸縮装置のストッパが係止していない状態を上方からみた場合の概念図であり、（ｂ）は第３の実施の形態に係る伸縮装置のストッパが係止した状態を上方からみた場合の概念図であり、（ｃ）は第３の実施の形態に係る伸縮装置のストッパにガイド板が装着された場合の概念図であり、（ｄ）は、第３の実施の形態に係る伸縮装置のストッパにガイド板及び回動板が装着された場合の概念図であり、（ｅ）は第３の実施の形態に係る伸縮装置のストッパにガイド板が装着された場合の概念図であり、（ｆ）は第３の実施の形態に係る伸縮装置のストッパが内筒部に設置された場合の概念図である。
【図１８】第４の実施の形態に係る伸縮装置の正面図である。
【図１９】第４の実施の形態に係る伸縮装置の背面図である。
【図２０】第４の実施の形態に係る伸縮装置の作用部周辺を拡大して示す概念図である。
【図２１】第４の実施の形態に係る伸縮装置の支持部周辺の概念図である。
【図２２】（ａ）は第４の実施の形態に係る伸縮装置の支持部周辺の斜視図であり、（ｂ）は同じくストッパの係止機構を説明するための概念図である。
【発明を実施するための形態】
【００２６】
以下に、本発明に係る伸縮装置の第１の実施の形態を図１乃至図１２に基づき説明する。（特に、請求項１、請求項３及び請求項５に対応）
図１は、本発明の第１の実施の形態に係る伸縮装置の内部構造の一部を示す概念図である。
図１において、第１の実施の形態に係る伸縮装置１は、ステッキ（杖）に用いられており、中空の円筒状体で一の端部（すなわち、下端部側）が開口した開口部２ａを有する脚部２と、同じく中空の円筒状体で一の端部が開口した伸縮脚部３を備えている。そして、伸縮脚部３の外周は脚部２の内周よりも小さく形成されて、伸縮脚部３は脚部２の内部に挿入可能で自在にスライドすることができるように構成されている。
また、脚部２の他の端部側（すなわち、上端部側）の内部には、中空の筒状体で一部にストッパ挿入窓７が形成された内筒部６が設けられている。そして、内筒部６の端部には固定具９が嵌設され、この固定具９に一の端部が固定される伸縮部材である押しばね５は、内筒部６の端部と直列になるように配置されて、伸縮脚部３の内部に収容されている。なお、内筒部６の端部とは、端部自体に加えて、その近傍も含む概念である。
さらに、脚部２及び伸縮脚部３の内部には、長さ調整部材としての螺旋状に係形成された引きばね４が、内筒部６及び押しばね５の外周部に配置されている。なお、図中では、引きばね４は３個に分割されて表示されているが、実際は連続した１個に形成されるものであり、また、一の端部（上端部）がストッパ挿入窓７を越えるように伸縮脚部３内に配置されている。引きばね４の設置について詳細に説明すれば、図示していないが、引きばね４は伸縮脚部３の先端部（下端部）から延設され脚部２に内挿される伸縮脚部３の上部で内設される引きばね固定部材によってその両端部が固定されて移動が抑止されている。
そして、内筒部６のストッパ挿入窓７から突出しているストッパ８は、図示していないが、ストッパ挿入窓７に位置する引きばね４の間隙を刺衝して係止するものである。また、詳細については後述するが、内筒部６に貫入された支持棒１０は、ストッパ８をストッパ挿入窓７に出入可能に支持する支持部の一部であり、把持部１２の内部を挿通してつまみ１１に連結されている。なお、符号１３は、一部のみを記載しているが、把持部１２の補強部材であり脚部２に連結して把持部１２を支持しており、また、符号１４は、伸縮脚部３の下端に装着する下端具である。
【００２７】
なお、本願明細書内において、「押しばね」は通常時に間隙を備えた螺旋状のばねであって、その螺旋の間隙の間隔を狭めて縮んだ際に反力を発揮するばねであり、「引きばね」は通常時に間隙が小さいかあるいはほとんどない状態の螺旋状のばねであるが、長さ調整部材としての「引きばね」については、ばねを引っ張った際に復元力を発揮する必要は必ずしもなく、単に、螺旋状という形状に基づくものである。従って、「引きばね」の代わりに「押しばね」を用いる場合を想定すると、ばねを押した際に復元力を発揮しないような場合でもよく、さらに、螺旋の間隙の間隔が小さいかほとんどないのであれば、「引きばね」に代えて「押しばね」を用いても問題はない。
また、伸縮装置１では、伸縮脚部３の外周は脚部２の内周よりも小さく形成され、伸縮脚部３は脚部２の内部をスライド移動する構成になっているが、伸縮脚部３の内周よりも脚部２の外周を小さく形成し、伸縮脚部３が脚部２の外部をスライド移動するように構成してもよい。
【００２８】
ここで、伸縮装置１に伸縮機構について説明する。
図１に示す伸縮装置１を縮める場合は、伸縮脚部３を脚部２の内部に向けて押すことで、伸縮脚部３は脚部２の内部に挿入され、同時に、押しばね５は収縮される。そして、伸縮装置１が所望の長さになったときに、つまみ１１を操作して支持棒１０を所定の角度ほど回動させ、内筒部６のストッパ挿入窓７からストッパ８を突出させて、ストッパ挿入窓７に位置する引きばね４の間隙を刺衝して係止すると、押しばね５及び伸縮脚部３の移動が抑止されて、その結果、伸縮装置１の全長を決定することができる。また、逆に、伸縮装置１を伸長する場合は、つまみ１１の操作によって支持棒１０を所定の角度ほど回動させ、ストッパ８の引きばね４への刺衝による係止を解除すると、押縮されていた押しばね５の復元力によって伸縮脚部３は自動的に脚部２から抜けるので、簡単に伸縮装置１を伸長することができる。
なお、本実施の形態においては、脚部２や伸縮脚部３の断面形状として円筒状体を採用しているが、筒状体であれば円筒に限定するものではなく、角筒状体であってもよい。他の実施の形態においても同様である。
【００２９】
続いて、伸縮装置の係止機構について図２乃至図１１を参照しながら説明する。
まず、最初に、伸縮装置の係止機構及びロック機構の概要について、図２を参照しながら簡単に説明する。
図２は、第１の実施の形態に係る伸縮装置の縦断面図である。
図２において、伸縮装置１では、中空の脚部２の内部には、まず、ストッパ挿入窓７を備える第１の内筒部６ａと脚部２の他の端部側に延設される第２の内筒部６ｂに分割されて構成される内筒部６が設けられている。そして、この内筒部６の上方の内部には、一の端部が把持部１２の上部のつまみ１１に連結される支持棒１０が設けられている。そして、この支持棒１０の他の端部には、順に、連結部材１５、ロック部材１６、ストッパ支持部材２０が設けられている。ロック部材１６の一の端部は連結部材１５に内挿されて、ロック部材１６は、このロック部材１６と連結部材１５を貫通するピン１７によって連結部材１５に固設されている。
一方、ロック部材１６の他の端部はストッパ支持部材２０に内挿されており、ロック部材１６とストッパ支持部材２０を貫通するピン１９によって連結され、ストッパ支持部材に設けられている。また、ロック部材１６の他の端部側には、ピン１９がスライド移動可能で、図示していないが、対向する一対の溝孔１８が切欠されており、ロック部材１６はピン１９の溝孔１８のスライド移動に伴って上下に動くことができる。すなわち、ロック部材１６が下方へ移動すると、ピン１９は相対的に上方へスライド移動するように見え、ロック部材１６が上方へ移動すると、ピン１９は相対的に下方へスライド移動するように見える。そして、ロック部材１６に連結される連結部材１５、支持棒１０及びつまみ１１もロック部材１６の動作に連動し、上下に移動する。
なお、図２において、つまみ１１と把持部１２の距離が、溝孔１８の長さに対応している。また、ストッパ８は、ストッパ８を支持するストッパ支持部材２０が所定の角度ほど回動することで、ストッパ挿入窓７から突出するように作用する。このストッパ支持部材２０の回動は、つまみ１１を手動などにより実行されるものであり、支持棒１０、連結部材１５、ロック部材１６を通じて伝えられる。そして、つまみ１１を下方へ移動することによって、ロック部材１６も下方へ移動して、突出したストッパ８の背面に当接して、ストッパ８のそれ以上の回動を抑止し、ストッパ８による引きばね４への刺衝を確実にすることができる。なお、ストッパ支持部材２０の周部には、ストッパ８のストッパ挿入窓７への出入に関わる回動衝止部材２１などが設けられている。
なお、符号４３は、前述の引きばね固定部材であり、引きばね固定部材４３は引きばね４の上端部と接して引きばね４の移動を抑止して固定する機能を発揮している。また、ストッパ支持部材２０による所定の角度の回動であるが、この角度は予め本実施の形態に係る伸縮装置を製造する際に決定されるものであり、特に特定の角度に決定しなければならないというものではない。
【００３０】
次に、ストッパ周辺の各部品について図３乃至図１０を参照しながら詳細に説明する。
図３（ａ）は、第１の実施の形態に係る伸縮装置の連結部材の外形図であり、（ｂ）は図３（ａ）中にＡ−Ａ線で示された部分の矢視断面図であり、（ｃ）は同じく図３（ａ）中にＡ１−Ａ１線で示された部分の矢視断面図である。
図３（ａ）乃至（ｃ）において、連結部材１５は中空の円筒状体であり、連結部材１５にはそれぞれ対向するように一対のピン挿通孔２２ａ，２２ｂ及び一対のピン挿通孔２３ａ，２３ｂが穿設されている。上方に配置される一対のピン挿通孔２２ａ，２２ｂは、ピンを挿通して先に述べた支持棒と固定するためのピン挿通孔である。また、下方に配置される一対のピン挿通孔２３ａ，２３ｂは、ピンを挿通してロック部材と固定するためのピン挿通孔である。
【００３１】
次に、図４（ａ）は、第１の実施の形態に係る伸縮装置のロック部材の外形図であり、（ｂ）は図４（ａ）中にＢ−Ｂ線で示された部分の矢視断面図であり、（ｃ）は同じく図４（ａ）中にＢ１−Ｂ１線で示された部分の矢視断面図である。
図４（ａ）乃至（ｃ）において、ロック部材１６は中空の円筒状体であり、ロック部材１６の上方には、対向する一対のピン挿通孔２４ａ，２４ｂが穿設され、また、下方には対向する一対の溝孔１８ａ，１８ｂが穿設されている。一対のピン挿通孔２４ａ，２４ｂは、ロック部材１６と、図３に示す連結部材１５とを固定するためのものであり、ロック部材１６の上端部を連結部材の下端部に内挿して、連結部材の一対のピン挿通孔とロック部材１６の一対のピン挿通孔２４ａ，２４ｂが連続するように配置し、これらの挿通孔にピンを挿通することにより固定が完成する。また、一対の溝孔１８ａ，１８ｂは、ストッパ支持部材のピン挿通孔に挿通されるピンをスライド可能に支持するものである。
【００３２】
次に、図５（ａ）は、第１の実施の形態に係る伸縮装置のストッパ支持部材の外形図であり、（ｂ）は図５（ａ）中にＣ−Ｃ線で示された部分の矢視断面図であり、（ｃ）は同じく図５（ａ）中にＣ１−Ｃ１線で示された部分の矢視断面図である。また、図６（ａ）は、第１の実施の形態に係る伸縮装置の第１のストッパ連結部材の縦断面図であり、（ｂ）は同じく第１のストッパ連結部材の上面図である。また、図７（ａ）は、第１の実施の形態に係る伸縮装置の第２のストッパ連結部材の縦断面図であり、（ｂ）は同じく第２のストッパ連結部材の上面図である。そして、図８は、第１の実施の形態に係る伸縮装置のストッパの外形図である。
まず、図５（ａ）乃至（ｃ）において、ストッパ支持部材２０は、中空の筒状体で上方には、図４に示すロック部材１６の一対の溝孔１８ａ，１８ｂをスライド移動するピンを挿通可能な一対のピン挿通孔２５ａ，２５ｂが穿設されている。また、特に、図５（ｂ）及び（ｃ）に示しているが、ストッパ支持部材２０の下端部には突起部２７が突設されており、ストッパを連結するためのストッパ連結部材を固定するための固定孔２６が穿設されている。
次に、図５乃至図８において、突起部２７の上部には、第１のストッパ連結部材２８が配置され、突起部２７の下部には第２のストッパ連結部材３１が配置され、突起部２７の固定孔２６と第１のストッパ連結部材２８の第１の固定孔２９と第２のストッパ連結部材３１の第３の固定孔３２には、図示しないピンが挿通されてこれらの３個の部品は連結される。また、第１のストッパ連結部材２８と第２のストッパ連結部材３１はストッパ８を介設して、第１のストッパ連結部材２８の第２の固定孔３０、第２のストッパ連結部材３１の第４の固定孔３３及びストッパ８の第５の固定孔３４には、図示しないピンが挿通されてこれらの３個の部品は連結される。
【００３３】
そして、図９（ａ）は、第１の実施の形態に係る伸縮装置の第１の内筒部の縦断面図であり、（ｂ）は図９（ａ）中にＤ−Ｄ線で示された部分の矢視断面図である。また、図１０（ａ）は、第１の実施の形態に係る伸縮装置の回動衝止部材の外形図であり、（ｂ）は図１０（ａ）中にＥ−Ｅ線で示された部分の矢視断面図である。
図９（ａ）及び（ｂ）において、第１の内筒部６ａは一部にストッパ挿入窓７を備え、ストッパ挿入窓７の上下位置にはそれぞれ第７の固定孔３６及び第８の固定孔３７が、第１の内筒部６ａの内周部で突設されている。第７の固定孔３６と第８の固定孔３７の間には、図８に示すストッパ８の第６の固定孔３５が配置されて、連続するこれらの固定孔には図示しないピンが挿通されて、ストッパ８が固定される。
また、図１０において、回動衝止部材１３は、固定孔用開口部３９が、図９に示した第１の内筒部６ａの第７の固定孔３６に嵌合するように第１の内筒部６ａに内挿され、また、回動衝止部材１３には、第１のストッパ連結部材２８、第２のストッパ連結部材３１及びストッパ８が装着されたストッパ支持部材２０が内挿されるが、このとき、連結部材用開口部３８は、突出する第１のストッパ連結部材２８が回動するための空間となり、さらに、連結部材用開口部３８の両端部は、第１のストッパ連結部材２８の両端部がそれぞれ衝止して回動を抑止するように機能する。本実施の形態における所定の角度ほどの回動は、図１０より略１２０°であることが理解される。
【００３４】
続いて、ストッパ周辺の各部品を組み立てた場合について図１１を参照しながら説明する。
図１１（ａ）乃至（ｄ）は、第１の実施の形態に係る伸縮装置のストッパ周辺の各部品を組み立てた場合の概念図である。
図１１（ａ）及び（ｂ）において、第１の内筒部６ａのストッパ挿入窓７にはストッパ８が突出しており、ストッパ８は、一の端部側では、図示していないが、ストッパ８の固定孔と、第１の内筒部６ａに突設される第７の固定孔３６及び第８の固定孔３７にピン４０が挿通されて固定されている。一方、他の端部側には、ストッパ８の第５の固定孔３４が示されている。
また、図１１（ｃ）において、ストッパ支持部材２０の上端部にはロック部材１６が内挿され、ストッパ支持部材２０のピン挿通孔２５ａ，２５ｂとロック部材１６の溝孔１８にはピン１９が挿通されるようになっている。また、ストッパ支持部材２０の下端部の突起部２７には、その上部に第１のストッパ連結部材２８が配置され、下部に第２のストッパ連結部材３１が配置され、第１のストッパ連結部材２８の第１の固定孔２９と第２のストッパ連結部材３１の第３の固定孔３２と、図示していないが、突起部２７に穿設される固定孔にはピン４１ｂが挿通されるようになっている。
そして、図１１（ｃ）に示す各部品が組み立てられた組立部材は、図１１（ｂ）に示す第１の内筒部６ａ内に設置されるが、このとき、ストッパ８の第５の固定孔３４に、第１のストッパ連結部材２８の第２の固定孔３０及び第２のストッパ連結部材３１の第４の固定孔３３が連続するように配置されてピン４１ａによって固定されるようになっている。さらに、図１１（ｃ）のロック部材１６及びストッパ支持部材２０は、図１１（ａ）に示す第２の内筒部６ｂ及び回動衝止部材１３に内挿されて、回動衝止部材１３の下端部は図１１（ｂ）の第１の内筒部６ａの上端部に嵌合される。
【００３５】
図１１（ａ）乃至（ｃ）において、ロック部材１６を回動すると、ストッパ支持部材２０、第１のストッパ連結部材２８、第２のストッパ連結部材３１及びストッパ８が連動して回動し、ストッパ８はストッパ挿入窓７から突出したり、引っ込んだりして、ストッパ８の係止状態を操作することができる。なお、回動は前述のとおり、第１のストッパ連結部材２８の両端部が連結部材用開口部３８の両端部に衝止する範囲において行われる。
また、ストッパ８がストッパ挿入窓７から突出した状態において、ロック部材１６を下方に押して溝孔１８に沿ってピン１９をスライド移動させて下げると、ロック部材１６の周部がストッパ８の背面側に当接して、ストッパ８の回動を抑止するので、ストッパ８の引きばねの間隙の刺衝の抜脱を防止することができる。また、逆に、ロック部材１６を上方に引き上げると、ストッパ８の回動抑止のロックは解除され、ストッパ８を回動して引きばねへの刺衝を抜脱することができる。
なお、図１１（ｄ）に示す固定具９は押しばね５の一の端部を固定し、また、図１１（ｂ）の第１の内筒部６ａの下端部に嵌合して固定するものである。
【００３６】
次に、伸縮装置の外観及び使用方法について図１２を参照しながら説明する。
図１２は、第１の実施の形態に係る伸縮装置の外形図である。
図１２において、ステッキに組み込まれた伸縮装置１は、脚部２と、脚部２に内挿される伸縮脚部３と、脚部２から延設される把持部１２と、把持部１２に設けられ、脚部２の内部において長さ調整部材である引きばねを係止したり、係止を解除したりするストッパの動作やストッパのロック機構に関わるロック部材の動作を操作するつまみ１１を備えている。また、補強部材１３は、把持部１２から脚部２の上端部に向けて渡設されて固定具４２で固定され、外力がかかる把持部１２の強度を補強している。
伸縮装置１において、つまみ１１を引き出すと、前述したロック部材によるストッパのロックが解除される。続いて、つまみ１１を予め定められた所定の角度ほど回動させると、ストッパの引きばねへの刺衝による係止が解除されるので、伸縮脚部３を脚部２の内部に押入して全長を調整し、所望の長さになったときにつまみ１１を逆方向に回動させると、ストッパが引きばねへ刺衝して係止が行われ、伸縮装置１の長さを固定することができる。さらに、つまみ１１を押して、把持部１２に装着すると、脚部２の内部では、ロック部材によるストッパの回動をロックすることができるので、ストッパの抜脱を防止して、強固な係止状態を保持することができる。このつまみ１１は、把持部１２内に嵌設されるので、把持部１２と平行位置になったときのみ把持部１２に収容可能となる。従って、その位置を基準として、係止部の刺衝位置と解除位置を定めることが可能であり、把持部１２と平行となっていない場合には、係止部の解除ができない構造とすることができる。
【００３７】
このように構成された第１の実施の形態においては、ストッパの支持部材を脚部２及び伸縮脚部３の内部に設けているので伸縮装置１の周部に突起物を設けない形状を形成するので、外観が優れたステッキを構成することができる。また、ストッパの抜脱を防止するロック機構を備えているので、外力が加わってもストッパが抜脱しにくく、強度を向上させた構成になっている。
【００３８】
次に、本発明に係る伸縮装置の第２の実施の形態を図１３及び図１４に基づき説明する。（特に、請求項２、請求項３及び請求項５に対応）
図１３は、本発明の第２の実施の形態に係る伸縮装置の内部構造を示す概念図である。
図１３において、第２の実施の形態に係る伸縮装置５１は、中空の円筒状体で一の端部が開口した開口部５２ａを有する第１の脚部５２と、この第１の脚部５２の内側に設けられて、同様に一の端部が開口した中空の円筒状体に形成される第２の脚部５５と、中空の円筒状体で、図示していないが一の端部が開口した先端部を有する伸縮脚部５３と、この伸縮脚部５３に内設され、しかも、第２の脚部５５の内側に、長さ調整部材としての引きばね５４とを備えている。伸縮脚部５３の外周は第１の脚部５２の内周よりも小さく形成されて、伸縮脚部５３は第１の脚部５２と第２の脚部５５によって形成される空間、いわば二重円管の外側の円環の空間の内部に挿入可能で自在にスライドすることができるように構成されている。なお、伸縮脚部５３の内周を第１の脚部５２の外周よりも大きく形成して、伸縮脚部５３の内部に第１の脚部５２を挿入する構成にしてもよい。
また、第２の脚部５５の他の端部側（すなわち、上端部側）の内部には、図示していないが、中空の円筒状体の内筒部が設けられている。そして、伸縮部材としての押しばね５６が、その一の端部を第１の脚部５２の他の端部側（すなわち、上端部側）に当接し、他の端部を伸縮脚部５３の他の端部側（すなわち、下端部側）に当接して第１の脚部５２及び伸縮脚部５３の内部であって、第２の脚部５５の外部に収容されている。また、押しばね５６は、第１の脚部５２側では、内筒部の外側に配置され、伸縮脚部５３側では、伸縮脚部５３と引きばね５４の間に介設されている。なお、引きばね５４は、押しばね５６よりも内側で、しかも第２の脚部５５よりも内側に設置されている。また、図示していないが、内筒部にはストッパ挿入窓が設けられており、さらに、内筒部の内部には、ストッパ挿入窓から突出し引きばねを刺衝するストッパと、このストッパのストッパ挿入窓への出入可能に支持する支持部材と、ストッパの抜脱を防止するロック部材とが設置されている。なお、伸縮脚部５３の内周を第１の脚部５２の外周よりも大きく形成して、伸縮脚部５３の内部に第１の脚部５２を挿入する構成の場合には、伸縮脚部５３を第１の脚部５２の外側に設けるのみで、押しばね５６は第１の脚部５２の内側であり、その内側に第２の脚部５５、その内側に引きばね５４、その内側に内筒部が形成されることになる。また、符号５７は第１の脚部５２の上端に設置される上端具であり、符号５８は伸縮脚部５３の下端に設置される下端具である。
【００３９】
伸縮装置５１において、伸縮脚部５３を第１の脚部５２に向けて押すと、伸縮脚部５３は第１の脚部５２の内部に挿入されていく。このとき、押しばね５６は押縮されて、伸縮脚部５３が第１の脚部５２と第２の脚部５５の間に形成される空間をスライド移動する。そして、伸縮装置５１が所望の長さになったときに、支持部を操作してストッパ挿入窓に位置する引きばねの間隙をストッパで刺衝して係止すると、伸縮脚部５３を固定することができ、伸縮装置５１の長さを決定することができる。逆に、伸縮装置５１を伸長する場合は、支持部の操作によりストッパの刺衝を抜脱すると、押しばね５６の復元力により付勢され伸縮脚部５３は自動的に第１の脚部５２から伸長することができる。
なお、第２の実施の形態に係る伸縮装置５１では、ストッパの係止機構及びロック機構は前述の第１の実施の形態と同様であり、その詳しい説明は省略する。
また、第２の実施の形態においては、押しばね５６が第１の脚部５２から伸縮脚部５３に亘って配置されるので、第１の実施の形態のように内筒部と押しばねを直列に配置する場合に比べて、伸縮装置５１の伸縮幅を大きくすることができる。
【００４０】
次に、図１４（ａ）は、第２の実施の形態に係る伸縮装置の外形図であり、（ｂ）は同じく伸縮装置の上面図である。
図１４（ａ）において、伸縮装置５１は、前述の通り、第１の脚部５２と伸縮脚部５３を備え、伸縮脚部５３が第１の脚部５２内外に出入りして伸縮する構成になっている。また、図１４（ｂ）において、伸縮装置５１の上端具５７を上面からみると、上端具５７には、つまみ５９が形成されている。このつまみ５９は、前述したストッパの支持部材とロック部材に連結されており、つまみ５９の操作によって、ストッパの係止及び係止の解除と、ストッパの抜脱を防止ためのロック及びこのロックの解除を行うことができる。
【００４１】
このように構成された第２の実施の形態においては、ストッパによる引きばねへの係止を引きばねの内側に設置される内筒部において行い、その操作は第２の脚部５５の端部に設置されるつまみにおいて行うので、従来の伸縮装置のように、脚部の周部に係止部材が設けられることなく、脚部周部は突起のない形状に形成することができる。また、ストッパの刺衝の抜脱を防止するロック機構を備えているので、伸縮装置の長さ固定を確実なものにすることができる。さらに、押しばねの内部に内筒部を設置するので、第１の実施の形態のように押しばねと内筒部を直列に配置した場合に比べて、伸縮不能な内筒部の長さ分も伸縮可能とし、伸縮長を増大した伸縮装置を提供することができる。
【００４２】
次に、本発明に係る伸縮装置の第３の実施の形態を図１５及び図１７に基づき説明する。（特に、請求項１、請求項４及び請求項５に対応）
図１５は、本発明の第３の実施の形態に係る伸縮装置の内部構造を示す概念図である。
図１５において、第３の実施の形態に係る伸縮装置６１は、中空の円筒状体で一の端部が開口した開口部６２ａを有する脚部６２と、同じく中空の円筒状体で一の端部が開口した伸縮脚部６３を備えており、伸縮脚部６３は脚部６２の内部に挿入可能で自在にスライドすることができるように構成されている。外形図については省略するが、前述の第１の実施の形態とほぼ同様の外観を有しており、ステッキなどに用いることができる。
また、脚部６２の内部には、中空の円筒状体の内筒部６６が設置されている。この内筒部６６の下端部には固定具７０が嵌設され、内筒部６６に直列に配置されるように伸縮部材としての押しばね６５がその一の端部を固定されている。なお、図示していないが、押しばね６５の他の端部は伸縮脚部６３の下端部に当接して収容されている。そして、内筒部６６及び押しばね６５の外周部には長さ調整部材としての引きばね６４が設置されている。この引きばね６４は、脚部６２に内設され、伸縮脚部６３の先端部に延設される引きばね固定部材６９に収容されて固定されている。
そして、内筒部６６には、一対のガイド板７１ａ，７１ｂ、一対の回動板７２ａ，７２ｂ及び固定部材７３を備えた第１のストッパ６７ａ及び第２のストッパ６７ｂと、図示していないが、第３のストッパが設置されている。第１のストッパ６７ａ、第２のストッパ６７ｂ及び第３のストッパは、それぞれ断面が鋭角に形成される円盤状の突起を備える刺衝部６８が５段に積層された形状で、これらの刺衝部６８は、第１のストッパ６７ａ、第２のストッパ６７ｂ及び第３のストッパが内筒部６６の内周部から外側に移動したときに引きばね６４の間隙を４箇所において同時に刺衝して係止し、伸縮脚部６３及び押しばね６５の移動を抑止して、伸縮装置６１の長さを決定するものである。なお、係止機構の詳細については後述する。
【００４３】
ここで、図１６は、本発明の第３の実施の形態に係る伸縮装置の内部構造を示す概念図である。なお、図１６において、図１５に記載されたものと同一部分については同一符号を付し、その構成についての説明は省略する。
図１６において、内筒部６６の内部には支持棒７４が設置されており、この支持棒は図中の矢印方向に予め定めた所定の角度ほど回動することによって、図１５に示した第１のストッパ６７ａ及び第２のストッパ６７ｂの内筒部６６の内周部から外部への移動及び外部から内筒部６６の内周部への移動を操作するものである。なお、支持棒７４は、図示していないが、脚部の他の端部（すなわち、上端部側）に延設されており、第１のストッパ６７ａ及び第２のストッパ６７ｂの内筒部６６の内周部から外部への出入操作は、脚部の他の端部の位置で可能になっている。
【００４４】
続いて、第３の実施の形態に係る伸縮装置の係止機構について図１７を参照しながら説明する。
図１７（ａ）は、第３の実施の形態に係る伸縮装置のストッパが係止していない状態を上方からみた場合の概念図である。
図１７（ａ）において、第１のストッパ６７ａ、第２のストッパ６７ｂ及び第３のストッパ６７ｃは、未係止状態であり、いずれも引きばね６４に接することなく、内筒部（図示せず）の内周部に略三角形状になるように均等に配置されている。
一方、図１７（ｂ）は、第３の実施の形態に係る伸縮装置のストッパが係止した状態を上方からみた場合の概念図である。
図１７（ｂ）において、第１のストッパ６７ａ、第２のストッパ６７ｂ及び第３のストッパ６７ｃは、係止状態であり、内筒部（図示せず）の内周部から外側に移動してそれぞれ引きばね６４に介挿されている。すなわち、図示していないが、第１のストッパ６７ａ、第２のストッパ６７ｂ及び第３のストッパ６７ｃは前述の複数の刺衝部（第１乃至第３のストッパにおいて、図中では円形状に見える端部で、符号６８で表される部分（図１５、図１７（ｅ）参照））が引きばね６４の複数の間隙を同時に刺衝している。
【００４５】
また、図１７（ｃ）は、第３の実施の形態に係る伸縮装置のストッパにガイド板が装着された場合の概念図である。
図１７（ｃ）において、ガイド板７１ａには、３個の略楕円形状の第１のガイド孔７５ａ，７５ｂ，７５ｃが穿設されている。そして、これらのガイド孔には、第１のストッパ６７ａ、第２のストッパ６７ｂ及び第３のストッパ６７ｃの軸がガイド孔をスライド可能に挿通されている。すなわち、第１のストッパ６７ａ、第２のストッパ６７ｂ及び第３のストッパ６７ｃの軸が、図示するように、第１のガイド孔７５ａ，７５ｂ，７５ｃの外側位置にあるときには、第１のストッパ６７ａ、第２のストッパ６７ｂ及び第３のストッパ６７ｃは内筒部の内周部から外部に位置し、引きばね６４を刺衝している。逆に、第１のストッパ６７ａ、第２のストッパ６７ｂ及び第３のストッパ６７ｃの軸が、第１のガイド孔７５ａ，７５ｂ，７５ｃの内側位置にあるときは、第１のストッパ６７ａ、第２のストッパ６７ｂ及び第３のストッパ６７ｃの内筒部の内周部に位置し、引きばね６４への刺衝は行われていない。なお、図示していないが、第１のストッパ６７ａ、第２のストッパ６７ｂ及び第３のストッパ６７ｃの下方にもガイド板７１ａと同形状のガイド板が設置されており、ガイド板７１ａと同様の構造と機能を備えている。
【００４６】
図１７（ｄ）は、第３の実施の形態に係る伸縮装置のストッパにガイド板及び回動板が装着された場合の概念図である。
図１７（ｄ）において、第１のストッパ６７ａ、第２のストッパ６７ｂ及び第３のストッパ６７ｃの上部には、図１７（ｃ）のガイド板７１ａが設置され、さらに、ガイド板７１ａの上部に回動板７２ａが設置されている。回動板７２ａには、略楕円形状の３個の第２のガイド孔６７ａ，６７ｂ，６７ｃが穿設されており、第１のストッパ６７ａ、第２のストッパ６７ｂ及び第３のストッパ６７ｃの軸が、これらのガイド孔をスライド可能に挿通されている。そして、回動板７２ａは時計方向及び反時計方向に回動可能で、回動板７２ａを所定の角度ほど回動させると、第１のストッパ６７ａ、第２のストッパ６７ｂ及び第３のストッパ６７ｃの軸は第２のガイド孔６７ａ，６７ｂ，６７ｃに沿って移動し、このとき、第１のストッパ６７ａ、第２のストッパ６７ｂ及び第３のストッパ６７ｃの軸は、回動板７２ａの下方に設置されるガイド板７１ａの第１のガイド孔７５ａ，７５ｂ，７５ｃのスライドを可能としている。すなわち、回動板７２ａを回動させることによって、第１のストッパ６７ａ、第２のストッパ６７ｂ及び第３のストッパ６７ｃの内筒部の内周部からの出入を操作することができるのである。なお、ガイド板と同様に、図示していないが、第１のストッパ６７ａ、第２のストッパ６７ｂ及び第３のストッパ６７ｃの下方にはガイド板７１ｂを介して回動板７２ａと同形状の回動板７２ｂが設置されており、回動板７２ａと同様の構造と機能を備えている。
【００４７】
次に、図１７（ｅ）は、第３の実施の形態に係る伸縮装置のストッパにガイド板が装着された場合の概念図である。
図１７（ｅ）において、第１のストッパ６７ａ、第２のストッパ６７ｂ及び第３のストッパ６７ｃの両端部にはガイド板７１ａ及びガイド板７１ｂが設置され、ガイド板７１ａの第１のガイド孔７５ａ，７５ｂ，７５ｃにはそれぞれの軸が挿通されている。また、第１のストッパ６７ｂ及び第３のストッパ６７ｃでは側面が示されており、４段に積層された複数の刺衝部６８が形成されていることがわかる。
【００４８】
そして、図１７（ｆ）は、第３の実施の形態に係る伸縮装置のストッパが内筒部に設置された場合の概念図である。
図１７（ｆ）において、第１のストッパ６７ａ、第２のストッパ６７ｂ及び第３のストッパ６７ｃはガイド板及び回動板７２ａ，７２ｂが装着されて、内筒部６６の端部に設置されている。図示していないが、回動板７２ａには内筒部６６に内設される支持棒が固設されている。また、支持棒は脚部の端部に延設されており、この端部を手動などで回動させると、支持棒の回動に連動して回動板７２ａが回動し、前述の通り、第１のストッパ６７ａ、第２のストッパ６７ｂ及び第３のストッパ６７ｃが内筒部６６の内周部から出入りして、引きばねへの刺衝を行う。
【００４９】
このように構成された本実施の形態においては、ストッパが複数の刺衝部を備え、引きばねの複数の間隙を同時に刺衝して係止するので、伸縮脚の固定が強固なものとなる。さらに、多段のストッパを備えることによってより強固な係止状態を安定して保持することを可能としている。
また、第１及び第２の実施の形態と同様に、ストッパは内筒部の内周部から出入りする構造であるので、脚部の周部に突起を形成することなく略円筒形状の伸縮装置を提供することができる。
なお、本実施の形態においては、ストッパを３個設置しているが、ストッパの設置数は１個以上であれば自由に設定することができる。ただ、複数のストッパを備え、しかもそれらが周方向で均等に配置されることによれば、周方向に均等な保持力が発生するため、より信頼性の高い伸縮装置を提供することができる。なお、ストッパに形成される刺衝部の設置数についても特に限定されるものではなく１個以上であればよい。
【００５０】
次に、本発明に係る伸縮装置の第４の実施の形態を図１８及び図２２に基づき説明する。（特に、請求項６乃至請求項８に対応）
図１８は、本発明の第４の実施の形態に係る伸縮装置の正面図である。
図１８において、第４の実施の形態に係る伸縮装置８１は、一の端部近傍が湾曲した形状を有する脚部８２と、脚部８２に設けられ、図示されない係止部材としてのストッパを支持する支持部８６とを有している。また、これも図示していないが、脚部８２の一の端部近傍の湾曲した部分の背面側には溝孔が形成されており、この溝孔には滑合して脚部８２の内部をスライド可能な作用部と、この作用部に一の端部が直列に固設され、脚部８２の内部をスライド可能な長さ調整部材としての引きばねが設置されている。また、引きばねの内部には、両端部が作用部と引きばねの他の端部とに固設された固定部が挿通されている。そして、脚部８２の内部に設置される引きばねは、補強部材８８の周辺に設けられる窓部を超えて配置され、窓部に位置する引きばねの間隙をハンドル８７を備える支持部８６によって出入が操作される係止部材が刺衝して係止し、引きばねの移動を抑止して、作用部の位置を決定することができる。なお、係止機構については後述するが、本実施の形態における係止は、引きばね８５の外側に配置される係止部材が内側に移動して引きばね８５の間隙を刺衝するものである。そして、作用部は、自動車などのシート９０の背部９１の背部骨格９２に連結部材９３を介して連結される回動部材９４に固設されており、すなわち、作用部の位置を変えることにより背部９１の角度を調節することができる。なお、図中の矢印は背部９１の可動範囲を示すものである。
なお、シート９０において、符号９５及び符号９６は連結部材９３と回動部材９４を固定するための固定ねじである。また、座部９７には、座部骨格９８が設置され、この座部骨格９８には回動部材９４を支持する連結部材９９が固定ねじ１００及び固定ねじ１０１で固定されている。そして、座部骨格９８の下方には、連結具１０５，１０６によって固設されるスライド部材１０４を備えるフレーム１０３が設置されており、スライド部材１０４がレール固定部材１０８上のレール１０７に滑合してスライドし、シート９０は前後位置を変えることができるようになっている。
【００５１】
次に、図１９は、第４の実施の形態に係る伸縮装置の背面図である。すなわち、図１８に示される状態の裏側を描いた図面である。また、図２０は、第４の実施の形態に係る伸縮装置の作用部周辺を拡大して示す概念図である。なお、図１９において、図１８に記載されたものと同一部分については同一符号を付し、その構成についての説明は省略する。
図１９において、伸縮装置８１を背面側からみると、脚部８２の湾曲した部分には溝孔８４が形成されており、この溝孔８４を滑合可能な作用部８３と、この作用部８３に一の端部が固設された引きばね８５が設置されている。
また、図２０において、脚部８２の湾曲した部分には、実際にはカバー１１０が装着されており、固定ねじ１１１〜１１７によってシートの背部の回動部材に固定されている。そして、脚部８２の溝孔８４には、円形状に形成される部分を溝孔８４の外部に突出し、略楕円形状に形成される部分を溝孔８４の内部に収容する作用部８３が設置されている。また、脚部８２の内部には、作用部８３に一の端部が固設された引きばね８５が収容されており、また、引きばね８５の内部には一の端部を作用部８３に固設されたワイヤー１０９が挿通されている。前述したが、ワイヤー１０９の他の端部は引きばね８５の他の端部に固設されているので、作用部８３の溝孔８４のスライド移動に伴う引きばね８５の移動時には、引きばね８５はワイヤー１０９によって固定されているので、引きばね８５の間隙に空間が生じることなく密な状態を保持することができる。
【００５２】
なお、本実施の形態においては、伸縮部材を設置していないが、伸縮部材を設置することができる。伸縮部材は、作用部８３に対して引きばね８５が固設されていない側に直列に配置することができ、この場合は、伸縮部材として押しばねを用いて、一の端部は作用部８３に固設し、他の端部は脚部８２の端部に固設又は当接されるように設置する。図１９及び図２０において、作用部８３が押しばね側に溝孔８４をスライド移動した状態で係止すると、押しばねは他の端部が脚部８２の端部に固設又は当接しているので押縮された状態となる。したがって、係止状態を解除すると、押縮した押しばねの復元力によって付勢され作用部８３が簡単に元の位置に戻ることができる。すなわち、シートの背部を自動的に動かすことが可能となる。
また、伸縮部材は、引きばね８５の内部に並列に配置することもでき、この場合は、引きばねを伸縮部材として用いることができる。前述したように、本実施の形態の係止は係止部材が引きばねの外側から刺衝する仕組みであるので、伸縮部材としての引きばねは引きばね８５の内部に設置されることが必須となる。伸縮部材としての引きばねの設置は、一の端部を作用部８３に固設し、他の端部を脚部８２の他の端部に固設することによって行う。図１９及び図２０において、作用部８３が溝孔８４をスライド移動すると、伸縮部材としての引きばねは通常時には密に形成される螺旋状の間隙は、他の端部が脚部８２の他の端部に固設されているので引っ張られて拡張する。この拡張した状態での係止状態を解除すると、伸縮部材としての引きばねは拡張した間隙を密にするように復元力が作用し、作用部８３が簡単に元の位置に戻ることができ、すなわち、シートの背部を自動的に動かすことが可能となる。
【００５３】
続いて、第４の実施の形態に係る伸縮装置の係止構造について図２１及び図２２を参照しながら説明する。
図２１は、第４の実施の形態に係る伸縮装置の支持部周辺の概念図である。
図２１において、支持部８６は、脚部８２の補強部材８８に設置されており、ハンドル８７と、第１のストッパ１２０、第２のストッパ１２１及び第３のストッパ（図示せず）を支持する一対の支持板１２４ａ，１２４ｂ及び連結部材１２５と、第１のストッパ１２０、第２のストッパ１２１及び第３のストッパ（図示せず）の出入りを操作する一対の回動板１２３ａ，１２３ｂと、一対の支持板１２４ａ，１２４ｂとハンドル８７を連結するためのハンドル支持部１１８，１１９及び固定部材１２６ａ，１２６ｂとを備えている。そして、第１のストッパ１２０及び第２のストッパ１２１の隙間からは、脚部８２に内挿される引きばね８５が露出しており、第１のストッパ１２０、第２のストッパ１２１及び第３のストッパ（図示せず）が引きばね８５の間隙を刺衝するために出入り可能な窓部が設けられている。
そして、第１のストッパ１２０及び第２のストッパ１２１は、それぞれ４段の刺衝部１０２が積層された構造を有しており、これらの４段の刺衝部１０２は引きばねの間隙の４箇所において同時に刺衝して係止することができる。なお、図示していないが、第３のストッパも同様の構造を有している。したがって、本実施の形態においては、３個の第１のストッパ１２０、第２のストッパ１２１及び第３のストッパによって、それぞれ４箇所において引きばねを刺衝するので強固な係止状態を保持することができる。なお、ストッパの設置数や刺衝部の形成段数は１個以上であれば特に限定されるものではない。
【００５４】
また、図２２（ａ）は、第４の実施の形態に係る伸縮装置の支持部周辺の斜視図であり、（ｂ）は、同じくストッパの係止機構を説明するための概念図である。なお、図２２において、図２１に記載されたものと同一部分については同一符号を付し、その構成についての説明は省略する。
図２２（ａ）において、ハンドル８７は図中に示す矢印方向に回動可能であり、このハンドル８７の動作に連動して一対の回動板１２３ａ，１２３ｂも同様に回動することができる。
また、図２２（ｂ）において、回動板１２３ａには、第１のガイド孔１３０、第２のガイド孔１３１及び第３のガイド孔１３２が穿設されており、第１のストッパ１２０、第２のストッパ１２１及び第３のストッパ１２２の軸がそれぞれこれらのガイド孔の一の端部に接するように挿通されている。そして、回動板１２３ａが回動すると、これらのストッパの軸は、各々のガイド孔の一の端部から他の端部方向へスライド移動し、ストッパ自体も回動板１２３ａの外側から内側に向けて移動して、ストッパの刺衝部による引きばねの間隙への刺衝を行い、係止状態となる。逆に、ストッパによる係止状態を解除するには、回動板１２３ａを逆方向に回動させると、ストッパが内側から外側に向けて移動し、ストッパの刺衝部の刺衝を抜脱することができる。なお、図示していないが、回動板１２３ａの対をなす回動板においても同様の構造と機能を有するものである。
また、図２２（ａ）において、符号１２８及び符号１２９は固定ねじであり、符号１２７は連結部材である。また、図２２（ｂ）において、符号１３３、符号１３４及び符号１３５は固定ねじである。
【００５５】
このように構成された本実施の形態においては、直線形状に限定されず湾曲した構造における伸縮装置を提供することができる。また、複数の刺衝部を備えるストッパを備えて、引きばねの複数の間隙を同時に係止するので、強固な係止状態を保持することができる。
【産業上の利用可能性】
【００５６】
以上説明したように、本発明の請求項１乃至請求項８に記載された発明は、所望の長さに調整可能で、長さ調整部材の係止を強固且つ確実に行うことができる伸縮装置を提供可能であり、ステッキや座椅子などにおいて利用することができる。
【符号の説明】
【００５７】
１…伸縮装置  ２…脚部  ２ａ…開口部  ３…伸縮脚部  ４…引きばね  ５…押しばね  ６…内筒部  ６ａ…第１の内筒部  ６ｂ…第２の内筒部  ７…ストッパ挿入窓  ８…ストッパ  ９…固定具  １０…支持棒  １１…つまみ  １２…把持部  １３…補強部材  １４…下端具  １５…連結部材  １６…ロック部材  １７…ピン  １８，１８ａ，１８ｂ…溝孔  １９…ピン  ２０…ストッパ支持部材  ２１…回動衝止部材  ２２ａ，２２ｂ…ピン挿通孔  ２３ａ，２３ｂ…ピン挿通孔  ２４ａ，２４ｂ…ピン挿通孔  ２５ａ，２５ｂ…ピン挿通孔  ２６…固定孔  ２７…突起部  ２８…第１のストッパ連結部材  ２９…第１の固定孔  ３０…第２の固定孔  ３１…第２のストッパ連結部材  ３２…第３の固定孔  ３３…第４の固定孔  ３４…第５の固定孔  ３５…第６の固定孔  ３６…第７の固定孔  ３７…第８の固定孔  ３８…連結部材用開口部  ３９…固定孔用開口部  ４０…ピン  ４１ａ，４１ｂ…ピン  ４２…固定具  ４３…引きばね固定部材  ５１…伸縮装置  ５２…第１の脚部  ５２ａ…開口部  ５３…伸縮脚部  ５４…引きばね  ５５…第２の脚部  ５６…押しばね  ５７…上端具  ５８…下端具  ５９…つまみ  ６１…伸縮装置  ６２…脚部  ６２ａ…開口部  ６３…伸縮脚部  ６４…引きばね  ６５…押しばね  ６６…内筒部  ６７ａ…第１のストッパ  ６７ｂ…第２のストッパ  ６７ｃ…第３のストッパ  ６８…刺衝部  ６９…引きばね固定部材  ７０…固定具  ７１ａ，７２ｂ…ガイド板  ７２ａ，７２ｂ…回動板  ７３…固定部材  ７４…支持棒  ７５ａ，７５ｂ，７５ｃ…第１のガイド孔  ７６ａ，７６ｂ，７６ｃ…第２のガイド孔  ８１…伸縮装置  ８２…脚部  ８３…突起  ８４…溝孔  ８５…引きばね  ８６…支持部  ８７…ハンドル  ８８…補強部材  ９０…シート  ９１…背部  ９２…背部骨格  ９３…連結部材  ９４…回動部材  ９５…固定ねじ  ９６…固定ねじ  ９７…座部  ９８…座部骨格  ９９…連結部材  １００…固定ねじ  １０１…固定ねじ  １０２…刺衝部  １０３…フレーム  １０４…スライド部材  １０５…連結具  １０６…連結具  １０７…レール  １０８…レール固定部材  １０９…ワイヤー  １１０…カバー  １１１…固定ねじ  １１２…固定ねじ  １１３…固定ねじ  １１４…固定ねじ  １１５…固定ねじ  １１６…固定ねじ  １１７…固定ねじ  １１８…ハンドル支持部  １１９…ハンドル支持部  １２０…第１のストッパ  １２１…第２のストッパ  １２２…第３のストッパ  １２３ａ，１２３ｂ…回動板  １２４ａ，１２４ｂ…支持板  １２５…連結部材  １２６ａ，１２６ｂ…固定部材  １２７…連結部材  １２８…ピン  １２９…ピン  １３０…第１のガイド孔  １３１…第２のガイド孔  １３２…第３のガイド孔  １３３…ピン  １３４…ピン  １３５…ピン
【図１】
2010223382.tif 000003
【図２】
2010223382.tif 000004
【図３】
2010223382.tif 000005
【図４】
2010223382.tif 000006
【図５】
2010223382.tif 000007
【図６】
2010223382.tif 000008
【図７】
2010223382.tif 000009
【図８】
2010223382.tif 000010
【図９】
2010223382.tif 000011
【図１０】
2010223382.tif 000012
【図１１】
2010223382.tif 000013
【図１２】
2010223382.tif 000014
【図１３】
2010223382.tif 000015
【図１４】
2010223382.tif 000016
【図１５】
2010223382.tif 000017
【図１６】
2010223382.tif 000018
【図１７】
2010223382.tif 000019
【図１８】
2010223382.tif 000020
【図１９】
2010223382.tif 000021
【図２０】
2010223382.tif 000022
【図２１】
2010223382.tif 000023
【図２２】
2010223382.tif 000024